(57)【特許請求の範囲】
【請求項１】
画像が顕像化されたフィルムを主走査して前記画像を読み取る撮像素子と、前記撮像素子に対して前記フィルムを前記主走査方向と直交する副走査方向に移動する走査機構とを備えるフィルムスキャナにおいて、前記走査機構は、前記フィルムを支持するフィルムホルダと、前記フィルムホルダを支持する移動テーブルと、前記移動テーブルを第１の速度で前記副走査方向に移動する第１の走査手段と、前記フィルムホルダを前記移動テーブルに対して第２の速度で前記副走査方向に移動する第２の走査手段とを備え、本スキャン時に前記第１の走査手段が駆動され、プリスキャン時に前記第１及び第２の走査手段が同時に駆動される構成であることを特徴とするフィルムスキャナ。
【請求項２】
前記第１の走査手段による前記第１の速度と、前記第２の走査手段による前記第２の速度が等しく設定されている請求項１に記載のフィルムスキャナ。
【請求項３】
前記第１の走査手段は、前記移動テーブルの一部に設けられたラックと、装置固定部に設けられた第１のモータと、前記第１のモータの回転軸に取着されて前記移動テーブルの前記ラックに噛合するピニオンを含み、前記第２の走査手段は、前記フィルムホルダの一部に設けられたラックと、前記移動テーブルに設けられた第２のモータと、前記第２のモータの回転軸に取着されて前記フィルムホルダの前記ラックに噛合するピニオンとを含むことを特徴とする請求項１または２に記載のフィルムスキャナ。
【請求項４】
前記フィルムは複数の駒画像が長手方向に配列されているストリップ状フィルムであり、前記フィルムホルダは前記フィルムが長手方向に挿入されるスリットと、挿入されたフィルムの前記駒画像をそれぞれ露呈するための複数の駒窓とを備え、前記フィルムホルダは前記第２の駆動手段によってその長手方向に移動される構成である請求項１ないし３のいずれかに記載のフィルムスキャナ。
【請求項５】
前記移動テーブルには前記駒窓に対応して前記駒窓とほぼ同じ寸法の読み取り窓が開口され、前記フィルムホルダの長手方向の移動により前記フィルムホルダの複数の駒窓が選択的に前記読み取り窓に対応位置される構成である請求項４に記載のフィルムスキャナ。
【発明の詳細な説明】
【０００１】
【発明の属する技術分野】
本発明は銀塩フィルムに撮影された画像を光電変換素子により読み取って画像信号に変換するためのフィルムスキャナに関する。
【０００２】
【従来の技術】
近年のパーソナルコンピュータ（パソコン）の普及に伴い、デジタルスチルカメラで撮影した画像や、スキャナ装置で走査した画像をパソコンに取り込んで画像処理を行い、あるいは記録することが行われている。このような時代の要求により、銀塩フィルム等の写真フィルムで撮影した画像をパソコンに取り込むことが考えられており、従来では印画した撮影画像をスキャナ装置により読み取ることが行われている。しかしながら、この種のスキャナ装置では印画に焼付けた上で読み取りを行う必要があるため、写真フィルム上のネガ画像あるいはポジ画像を直接に読み取るためのフィルムスキャナが提案されている。このようなフィルムスキャナは、基本的には従来のスキャナ装置と同じであり、フィルムの画像をＣＣＤ素子等の光電変換素子からなるラインセンサにより主走査するとともに、フィルム又はラインセンサを主走査方向と直交する副走査方向に移動させて副走査する構成がとられている。
【０００３】
ところで、この種のフィルムスキャナでは、フィルム画像を正規に読み取る本スキャンと共に、読み取る対象のフィルム画像を確認するためのプリスキャン機能を備えたものがある。このプリスキャンは、対象となるフィルム画像が正しい状態で読み取られることを確認するために用いられるものであり、本スキャンのように高密度な読み取りを行う必要はなく、その一方で読み取り時間を短くしてより高速に読み取り画像をプレビューさせることが好まれる。その方法は、副走査を本スキャンの数ピッチ毎に設定し、そのときの主走査の画素を副走査のピッチ毎に間引くことで行っており、プリスキャン時における読み取りの高速化が図られている。これは、スキャナにおける主走査方向の速度は使用するラインセンサの読み取り時間、例えばＣＣＤ素子の場合には電荷蓄積時間はラインセンサによって一義的に決定されてしまため、主走査の制御によって読み取り精度を粗くすることは困難であり、そのために副走査方向の読み取り密度を粗くしている。例えば、従来においては、本スキャン時の副走査に対してプリスキャン時の副走査を数ピッチ置きとし、これにより、プリスキャン時の副走査本数を本スキャン時の走査本数に対して低減することが行われている。
【０００４】
【発明が解決しようとする課題】
しかしながら、このような方式のフィルムスキャナでは、プリスキャン時に、例えばフィルムをラインセンサに対して副走査方向に移動する速度は本スキャン時の移動速度と同じであり、副走査時の読み取りタイミングを間引きすることで数ピッチ置きの読み取りを行う方式であるため、同一のフィルム画像を読み取る際に、ラインセンサに対してフィルムを副走査方向に移動させるのに必要な時間はプリスキャンと本スキャンとで同じとなる。そのため、プリスキャンを高速化するという、本来の目的を達成することが難しいという問題がある。
【０００５】
本発明の目的は、プリスキャンの時間を短縮することが可能なフィルムスキャナを提供することにある。
【０００６】
【課題を解決するための手段】
本発明は、画像が顕像化されたフィルムを主走査して前記画像を読み取る撮像素子と、前記撮像素子に対して前記フィルムを前記主走査方向と直交する副走査方向に移動する走査機構とを備えるフィルムスキャナにおいて、前記走査機構は、前記フィルムを支持するフィルムホルダと、前記フィルムホルダを支持する移動テーブルと、前記移動テーブルを第１の速度で前記副走査方向に移動する第１の走査手段と、前記フィルムホルダを前記移動テーブルに対して第２の速度で前記副走査方向に移動する第２の走査手段とを備え、本スキャン時に第１の走査手段が駆動され、プリスキャン時に第１及び第２の走査手段が同時に駆動される構成とする。この場合、前記第１の走査手段による第１の速度と、前記第２の走査手段による第２の速度とは等しい速度に構成される。
【０００７】
本発明によれば、第２の走査手段による副走査速度を第１の走査手段による副走査速度よりも高速に設定することにより、プリスキャンの副走査速度を本スキャンの副走査速度よりも高速化でき、プリスキャンの時間を短縮することができる。また、プリスキャン時には、第１の走査手段と第２の走査手段を同時に駆動して副走査を行うことにより、プリスキャンの時間を短縮することができる。
【０００８】
【発明の実施の形態】
次に、本発明の実施形態を図面を参照して説明する。図１は本発明のフィルムスキャナの概念構成を示す斜視図であり、図２はその部分分解斜視図、図３はその正面図である。図外の装置筐体には、水平方向に２本のガイドバー１０２が架設されており、前記ガイドバー１０２に沿って詳細を後述する移動テーブル１０１が移動可能に載架されている。なお、前記移動テーブル１０１には、読み取りを行うフィルムを保持したフィルムホルダ２０１が保持される。また、前記２本のガイドバー１０２間の長さ方向の一部領域に読み取り部１１０が構成されている。前記読み取り部１１０は、前記ガイドレール１０２の上方位置に配置されて発光面を下方に向けた拡散光源１１１と、前記拡散光源１１１の直下で前記ガイドレール１０２の下方位置に配置された撮像レンズ１１２と、前記撮影レンズ１１２によって結像されるフィルム画像を光電変換するＣＣＤ素子からなるラインセンサ１１３とで構成されている。前記ラインセンサ１１３は、そのライン方向が前記ガイドバー１０２の長手方向と直交する方向に向けられており、そのライン方向に読み取りを行うことで、フィルムの主走査を行うことになる。
【０００９】
一方、前記移動テーブル１０１は、両側部において前記カイドバー１０２が貫通されており、この貫通部において慴動されながら前記ガイドバー１０２に沿って往復移動可能とされている。また、移動テーブル１０１のほぼ中心位置には矩形の読み取り窓１０３が板厚方向に貫通されており、この読み取り窓１０３を通してフィルムの読み取りが行われる。さらに、前記移動テーブル１０１の上面には前記読み取り窓１０３の両側に沿って両側部がＬ字型のレール１０５として曲げ形成されたホルダ保持レール部材１０４が固定されている。前記レール１０５間には前記フィルムホルダ２０１が保持され、かつ当該フィルムホルダ２０１を前記レール１０５の延長方向に沿って移動可能としている。また、前記移動テーブル１０１の一方の側面には、長手方向に沿ってラック１０６が一体的に設けられている。
【００１０】
また、前記フィルムホルダ２０１で保持するフィルム２００は、３５ｍｍフィルムを例えば６駒毎に切断したフィルムストリップとして構成されており、このフィルム２００を保持する前記フィルムホルダ２０１はフィルム２００よりも若干大きな寸法のストリップ状に形成され、その板厚方向のほぼ中央には長手方向に向けて前記フィルム２００を貫通するためのスリット２０２が全長にわたって形成されている。また、前記スリット２０２に対応して６個の矩形をした駒窓２０３がフィルムホルダ２０１の長さ方向に沿って配列され、かつフィルムホルダ２０１の厚さ方向に開口されている。なお、前記駒窓２０３は前記フィルム２００に撮影されている画像の駒に対応した寸法及びピッチ寸法に形成されていることは言うまでもない。また、前記フィルムホルダ２０１の一方の側面には、長手方向に向けてラック２０４が一体的に設けられている。そして、前記フィルムホルダ２０１は前記移動テーブル１０１の一対のレール１０５間に長手方向に向けて挿通され、レール１０５に沿って移動テーブル１０１上を移動されるように構成される。
【００１１】
一方、前記ガイドバー１０２の延長方向、すなわち前記ラインセンサ１１３のライン方向と直交する方向にフィルム２００を移動して副走査を行うための走査機構は、前記移動テーブル１０１を駆動するための第１の駆動機構１２０と、前記フィルムホルダ２０１を駆動するための第２の駆動機構１３０とで構成される。前記第１の駆動機構１２０は、前記移動テーブル１０１を駆動するために前記ガイドバー１０２の一方に隣接する位置の機器筐体に支持された本スキャン用モータ１２１を備えており、この本スキャン用モータ１２１の回転軸にはピニオン１２２が取着され、前記移動テーブル１０１の一側に設けられたラック１０６に噛合されている。また、前記第２の駆動機構１３０は、前記移動テーブルに支持されたプリスキャン用モータ１３１を備えており、このプリスキャン用モータ１３１の回転軸にはピニオン１３２が取着され、このピニオン１３２は前記レール１０５の側面に設けられた開口１０６を通して前記レール１０５間に挿通支持されている前記フィルムホルダ２０１の一側面のラック２０４に噛合される。なお、前記各モータ１２１，１３１はいずれもパルス信号を入力したときに所定の回転角単位で回転するステップモータが用いられている。
【００１２】
ここで、前記フィルムスキャナの電気回路構成を図４に示す。なお、図１〜図３に示された部分には同一符号を付してある。前記ラインセンサ１１３は、システムコントロール１４０によって制御されるラインセンサ駆動回路１４１によって駆動される。また、前記ラインセンサ１１３から出力されるフィルムの読み取り信号は、アンプ１４２で増幅され、Ａ／Ｄ変換器１４３でデジタル信号に変換された後、画像処理回路１４４において所要の画像処理が行われ、所要の画像信号が生成される。メモリ１４５は画像処理された画像信号を記録するもので、例えばＩＣカードで構成される。また、前記画像信号はインターフェース回路１４６を介して入出力端子１４７に出力され、図外のモニタにおいて画像表示される。また、前記拡散光源１１１は前記システムコントロール１４０によって制御される光源駆動回路１４８により発光が制御される。また、前記本スキャン用モータ１２１とプリスキャン用モータ１３１はそれぞれ前記システムコントロール１４０によって回転が制御されるように構成されている。また、前記システムコントロール１４０には、使用者により操作される操作パネル１５２がインターフェース１５１を介して接続されている。
【００１３】
以上の構成のフィルムスキャナを用いた走査の全体動作を図５のフローチャートを参照して説明する。先ず、読み取りを行うフィルム２００をフィルムホルダ２０１のスリット２０２に挿入し、フィルムの駒画像をフィルムホルダ２０１の駒窓２０３に位置合わせする。しかる上でフィルムホルダ２０１を移動テーブル１０１のレール１０５間に挿通する。この状態ではフィルムホルダ２０１の挿入側先端は移動テーブル１０１の読み取り窓１０３の手前の位置となる。このフィルムホルダ２０１の挿通が確認されると（Ｓ１０１）、本スキャン用モータ１２１を駆動し（Ｓ１０３）、移動テーブル１０１の位置が初期位置であるか否かを確認しながら（Ｓ１０５）、移動テーブル１０１を初期位置に移動した時点で本スキャン用モータ１２１の駆動を停止する（Ｓ１０７）。この初期位置は、移動テーブル１０１が読み取り部１１０の位置には未だに到達していない状態であり、この状態で拡散光源１１１を発光し（Ｓ１０９）、かつこれをラインセンサ１１３で受光し、この受光に基づいて画像処理回路１４４においてシェーディング補正を行う（Ｓ１１１）。その後、操作パネル１５２を通して使用者からの指示を待ち（Ｓ１１３）、当該指示が走査の終了であるときには、終了フローに移行する（Ｓ１１９）。走査を実行するときには、詳細を後述する走査フローＳ１１７を実行する。
【００１４】
なお、前記終了フローＳ１１９は、図７にフローチャートを示すように、本スキャン用モータ１２１を駆動し（Ｓ１６１）、移動テーブル１０１を前記した初期位置にまで戻し（Ｓ１６３）、その上で本スキャン用モータ１２１の駆動を停止する（Ｓ１６５）。そして、フィルムホルダ２０１を移動テーブル１０１から取り外して終了フローを完了する（Ｓ１６７）。
【００１５】
図６は前記走査フローＳ１１７の参照例としての第１の実施形態のフローチャートである。図５に示したステップＳ１１３において、使用者からの走査指示を受けたときに、最初（第１回目）の走査であるか否かを判定し（Ｓ１３１）、最初の走査の場合には、移動テーブル１０１のフィルムホルダ２０１が挿入された側と反対側の走査開始位置に移動テーブル１０１を移動設定する（Ｓ１３３）。なお、２回目以降の走査の場合には、前回の走査フローにより移動テーブル１０１は最初の走査の走査開始位置、あるいは駒画像を挟んで反対側の走査開始位置に設定されるので、前記ステップＳ１３３は不要となる。しかる後、本スキャンを行うか、プリスキャンを行うかを、操作パネル１５２からの指示に基づいて判定する（Ｓ１３５）。
【００１６】
ステップＳ１３５での判定が、プリスキャンの場合には、プリスキャン用モータ１３１を駆動して、フィルムホルダ２０１を移動し、読み取る駒画像の副走査方向の先端側、又は後端側のラインセンサ１１３に近い方がラインセンサ１１３に対応する位置に来るように駒窓２０３を位置合わせする（Ｓ１３７）。そして、プリスキャンが未だに行われていないことを確認した上で（Ｓ１３９）、フィルム２００の一部を透過した光をラインセンサ１１３で受光し、その受光量に基づいてラインセンサ１１３を構成するＣＣＤ素子のＣＣＤ蓄積時間を決定する（Ｓ１４１）。プリスキャンが既に行われているときには、そのプリスキャンにおいて得られたＣＣＤ蓄積時間を援用するため、ステップＳ１４１は不要になる。次いで、プリスキャン用モータ１３１を駆動し、ピニオン１３２を回転し、フィルムホルダ２０１のラック２０４との噛合により、フィルムホルダ２０１を移動テーブル１０１上で読み取る駒画像のラインセンサ１１３上の端から反対の端方向に移動する。このとき、移動テーブル１０１は移動せず、またプリスキャン用モータ１３１の回転速度は本スキャン用モータ１２１に設定されている回転速度よりも２倍以上の高速とする。また、副走査ピッチも粗く設定されている。これにより、図１０（ｃ）のように、フィルムホルダ２０１は移動テーブル１０１上を高速で移動されながらラインセンサ１１３による副走査が行われることになり、短時間でのプリスキャンが実行される（Ｓ１４３）。
【００１７】
一方、ステップＳ１３５において、本スキャンを判定したときには、プリスキャン時と同様に、読み取る駒画像を移動テーブル１０１の駒窓１０３に位置合わせした上で（Ｓ１４５）、本スキャンを実行する（Ｓ１４７）。このとき、事前にプリスキャンを実行していたときには、その際に得られたＣＣＤ蓄積時間を援用して本スキャンを実行する。また、事前にプリスキャンが行われていないときには、フィルムスキャナに予め設定されている標準のＣＣＤ蓄積時間に基づいて本スキャンを実行する（Ｓ１４７）。この本スキャンの場合には、本スキャン用モータ１２１を所定の速度で回転駆動し、読み取る駒画像の副走査方向の先端側、又は後端側のラインセンサ１１３に近い方がラインセンサ１１３に対応する位置に来るように駒窓２０３を位置合わせした上で、読み取る駒画像のラインセンサ１１３上の端から反対の端方向に移動する。これにより、ピニオン１２２が回転され、図１０（ａ）の状態から図１０（ｂ）のように、移動テーブル１０１のラック１０６との噛合により移動テーブル１０１をフィルムホルダ２０１とともに所定の速度でガイドバー１０２に沿って１駒分移動する。これにより、フィルム２００の駒画像に対してラインセンサ１１３で主走査を行い、かつ移動テーブル１０１の移動により副走査を行ない、結果として本スキャンが行われる。このようにすることで、本スキャン時におけるＣＣＤ蓄積時間を求めるステップが省略でき、本スキャンでの処理時間を短縮することが可能になる。
【００１８】
なお、前記プリスキャン及び本スキャンの終了後は、図５のステップＳ１１７からステップＳ１１３に戻り、操作パネル１５２による次のスキャンの指示を待ち、その指示を受けて前記したようにステップＳ１１５から、ステップＳ１１７またはＳ１１９に移行する。ここで、前記したように１回の本スキャンを行ったときには、移動テーブル１０１は先端方向に移動した状態にある。したがって、次の本スキャンの場合には、移動テーブル１０１の副走査方向を前記とは逆の方向（復方向）に移動することになる。この場合、移動テーブル１０１を１回の本スキャンを行なう度に初期位置に復帰させ、最初と同じ方向（往方向）に移動して副走査するように制御することも可能である。
【００１９】
また、詳細は省略するが、本発明をカラースキャナに適用した場合には、ＲＧＢ３ラインセンサを用いて、線順次で主走査することにより、各移動毎にＲＧＢの各色に対応した画像信号を得ることができる。
【００２０】
以上のように、本スキャンの場合には、本スキャン用モータ１２１により移動テーブル１０１を移動してフィルムを副走査し、プリスキャンの場合には、プリスキャン用モータ１３１によりフィルムホルダ２０１を移動してフィルムを副走査し、しかもプリスキャン時のフィルムホルダ２０１の移動速度を本スキャン時の移動テーブル１０１の移動速度よりも高速にしているので、プリスキャンを本スキャンに比較して短時間で行うことが可能になる。
【００２１】
なお、プリスキャン用モータ１３１の回転速度を本スキャン用モータ１２１の回転速度よりも高速にする代わりに、プリスキャン用モータのピニオン１３２を本スキャン用モータのピニオン１２２よりも大径に設計することで、フィルムホルダの副走査方向の移動速度を高速化することも可能である。
【００２２】
図８は前記走査フローＳ１１７の参照例としての第２の実施形態のフローチャートである。この走査フローにおいては、本スキャンを行うように指示したときに、事前にプリスキャンを行っているか否かを判断し、行っていない場合にはプリスキャンを行ってＣＣＤ蓄積時間を決定した後に本スキャンを行うステップを備えることが前記第１の形態とは相違している。なお、プリスキャンにかかわるステップＳ１３１〜Ｓ１４３のフローは前記第１の形態と同じであるので同一符号を付して説明は省略する。この第２の形態においては、ステップＳ１３５において、本スキャンを判定したときには、事前にプリスキャンが行われているか否かを判定する（Ｓ２３０）。プリスキャンが行われているときには、その際のＣＣＤ蓄積時間を援用し、前記第１の形態と同様にステップＳ１４５に移行してフィルムホルダ２０１の駒窓２０３を移動テーブル１０１の読み取り窓１０３に位置合わせし、その上で本スキャンを実行する（Ｓ１４７）。この際の駒窓２０３の位置合わせ動作と本スキャンの移動動作は前記第１の形態と同じである。
【００２３】
一方、ステップＳ２３０において事前にプリスキャンが行われていないと判定されたときには、プリスキャンを実行する。すなわち、第１の形態で行ったプリスキャンのステップＳ１３７〜１４３と同様に、フィルムホルダ２０１の駒画像の副走査方向の先端側または後端側のラインセンサ１１３に近い側を走査開始位置に設定し（Ｓ２３７）、ＣＣＤ蓄積時間を決定し（Ｓ２４１）、しかる上でそのＣＣＤ蓄積時間に基づいてフィルムホルダ２０１のみを駒画像の走査開始位置に設定された端から反対の端に向けて移動してプリスキャンを実行する（Ｓ２４３）。次いで、走査が中断される指示がないことを確認した上で（Ｓ１５１）、第１の形態と同様にフィルムホルダ２０１の駒窓２０３を移動テーブル１０１の読み取り窓１０３に位置合わせし、本スキャンを実行する（Ｓ１４５，Ｓ１４７）。この本スキャン時には、前記プリスキャン時に得られたＣＣＤ蓄積時間に基づいてラインセンサ１１３による副走査が行われることは言うまでもない。
【００２４】
この第２の形態では、本スキャン時には、事前に行われたプリスキャンで得られたＣＣＤ蓄積時間が援用できること、あるいは事前にプリスキャンが行われていないときには必ずプリスキャンを実行し、ＣＣＤ蓄積時間を決定した上で本スキャンが行われるため、本スキャンでのラインセンサ１１３の読み取りによる画像の画像品質を高めることが可能になる。
【００２５】
図９は前記走査フローの第３の実施形態のフローチャートである。この第３の実施形態では、本スキャン用モータ１２１の回転速度と、プリスキャン用モータ１３１の回転速度は同じ速度となるように設定されており、本スキャン時には本スキャン用モータ１２１のみを駆動し、プリスキャン時には本スキャン用モータ１２１とプリスキャン用モータ１３１を同時に回転駆動する構成となっている。すなわち、走査する駒画像に対して最初の走査であるか否かを判定し（Ｓ３０１）、最初の走査の場合には移動テーブル１０１をポジションＡに設定する（Ｓ３０３）。ここで、ポジションＡは、移動テーブル１０１が往方向（フィルムホルダ２０１を移動テーブル１０１に挿入した方向）に移動する際に読み取り窓１０３の移動側先端がラインセンサ１１３に対応する位置である。また、後述するポジションＢは、移動テーブル１０１が前記往方向とは逆の復方向に移動する際に読み取り窓１０３の移動側先端がラインセンサ１１３に対応する位置である。また、最初の走査ではないときには、現在の移動テーブル１０１の位置を認識し（Ｓ３０５）、移動距離が少なくなる方向に移動テーブル１０１を移動設定する。すなわち、移動テーブル１０１がポジションＡ側にあるときにはポジションＡに設定し（Ｓ３０７）、移動テーブル１０１がポジションＢ側にあるときにはポジョシンＢに設定する（Ｓ３０９）。
【００２６】
しかる上で、フィルムホルダ２０１の駒窓２０３を移動テーブル１０１の読み取り窓１０３に位置合わせし（Ｓ３１１）、プリスキャンが行われていたか否かを判定し（３１３）、プリスキャンが行われていない場合にはＣＣＤ蓄積時間の決定を行う（Ｓ３１５）。行われているときには、その際のＣＣＤ蓄積時間を援用する。そして、プリスキャンまたは本スキャンのいずれを行うかを判定し（Ｓ３１７）、プリスキャンの場合には移動テーブル１０１のポジションがＡまたはＢのいずれであるかを確認した上で（Ｓ３１９）、確認したポジションから反対側のポジションに向けて移動テーブル１０１を移動すべく、本スキャン用モータ１２１とプリスキャン用モータ１３１の回転方向を設定した上でそれぞれプリスキャンを実行する（Ｓ３２１，Ｓ３２３）。このプリスキャンでは、本スキャン用モータ１２１とプリスキャン用モータ１３１を同時に駆動する。これにより、本スキャン用モータ１２１によってピニオン１２２、ラック１０６で構成される第１の走査機構１２０によって移動テーブル１０１が副走査方向に移動され、さらにプリスキャン用モータ１３１によってピニオン１３２、ラック２０４で構成される第２の走査機構１３０によってフィルムホルダ２０１が副走査方向に移動される。これにより、図１１（ａ）の状態から、図１１（ｂ）の状態、さらに図１１（ｃ）の状態へと、移動テーブル１０１が副走査方向に移動されると共に、フィルムホルダ２０１が移動テーブル１０１上で同じ副走査方向に移動され、結果として、ラインセンサ１１３に対して、フィルムホルダ２０１は移動テーブル１０１の移動速度とフィルムホルダ２０１の移動速度が加算された速度、すなわち高速で副走査されることになる。
【００２７】
次いで、走査が中断される指示がないことを確認した上で（Ｓ３２５）、フィルムホルダ２０１の駒窓２０３と移動テーブル１０１の読み取り窓２０３を位置合わせした上で（Ｓ３３１）、現在の移動テーブル１０１の位置を把握し（Ｓ３３３）、移動距離が少なくなる方向に移動テーブル１０１を移動設定する。すなわち、移動テーブル１０１がポジションＡ側にあるときにはポジションＡに設定し（Ｓ３３５）、移動テーブル１０１がポジションＢ側にあるときにはポジョシンＢに設定する（Ｓ３４１）。そして、設定したポジションから反対側のポジションに向けて移動テーブル１０１を移動すべく、本スキャン用モータ１２１の回転方向を設定した上で、それぞれ本スキャンを実行する（Ｓ３３７，Ｓ３４３）。この本スキャン時には、前記プリスキャン時に得られたＣＣＤ蓄積時間に基づいてラインセンサ１１３による副走査が行われることは言うまでもない。この本スキャンでは、本スキャン用モータ１２１を駆動して移動テーブル１０１を駆動することで、図１０（ａ）及び（ｂ）に示すように、本スキャン用モータ１２１、ピニオン１２２、ラック１０６で構成される第１の走査機構１２０によって決定される速度で移動テーブル１０１とフィルムホルダ２０１とを一体的に副走査方向に移動させ、プリスキャンよりも低速で、高精度の読み取りが行われる。
【００２８】
この第３の実施形態では、本スキャン用モータ１２１と、プリスキャン用モータ１３１に同じ回転速度のものが使用でき、しかもプリスキャン時にはプリスキャン用モータ１３１の回転速度よりも高速でフィルムホルダ２０１を移動させることが可能となるため、高価な高速モータが不要となり、フィルムスキャナの低コスト化に有利である。また、第３の実施形態では本スキャン用モータ１２１とプリスキャン用モータ１３１の回転速度は必ずしも等しい必要はなく、プリスキャン用モータ１３１の回転速度が本スキャン用モータ１２１の回転速度より速くても遅くても良いことは言うまでもない。
【００２９】
【発明の効果】
以上説明したように本発明は、撮像素子に対してフィルムを副走査するための走査機構の構成として、フィルムを支持するフィルムホルダと、このフィルムホルダを支持する移動テーブルと、この移動テーブルを第１の速度で副走査方向に移動する第１の走査手段と、前記フィルムホルダを前記移動テーブルに対して第２の速度で副走査方向に移動する第２の走査手段とを備え、プリスキャン時には、第１の走査手段と第２の走査手段を同時に駆動して副走査を行うことにより、プリスキャンの副走査速度を本スキャンの副走査速度よりも高速化でき、プリスキャンの時間を短縮することができる。
【図面の簡単な説明】
【図１】本発明のフィルムスキャナの第１の実施形態の全体構成を示す斜視図である。
【図２】図１の部分分解斜視図である。
【図３】図１を正面方向から見たときの断面図である。
【図４】フィルムスキャナの電気回路構成を示すブロック図である。
【図５】本発明のフィルムスキャンの全体動作を説明するためのフローチャートである。
【図６】図５の走査フローにおける第１の実施形態のフローチャートである。
【図７】図５のフローにおける終了フローのフローチャートである。
【図８】図５の走査フローにおける第２の実施形態のフローチャートである。
【図９】図５の走査フローにおける第３の実施形態のフローチャートである。
【図１０】第１及び第２の実施形態における本スキャンとプリスキャンの動作を示す模式的な側面方向の断面図である。
【図１１】第３の実施形態におけるプリスキャンの動作を示す模式的な側面方向の断面図である。
【符号の説明】
１０１  移動テーブル
１０２  ガイドバー
１０３  読み取り窓
１０５  レール
１０６  ラック
１１０  読み取り部
１１１  拡散光源
１１２  撮像レンズ
１１３  ラインセンサ（ＣＣＤ素子）
１２０  第１の走査機構
１２１  本スキャン用モータ
１２２  ピニオン
１３０  第２の走査機構
１３１  プリスキャン用モータ
１３２  ピニオン
１４０  システムコントロール
１５１  インターフェース
１５２  操作パネル
２００  フィルム
２０１  フィルムホルダ
２０２  スリット
２０３  駒窓
２０４  ラック
【図１】
0003548475.tif 000002
【図２】
0003548475.tif 000003
【図３】
0003548475.tif 000004
【図４】
0003548475.tif 000005
【図５】
0003548475.tif 000006
【図６】
0003548475.tif 000007
【図７】
0003548475.tif 000008
【図８】
0003548475.tif 000009
【図９】
0003548475.tif 000010
【図１０】
0003548475.tif 000011
【図１１】
0003548475.tif 000012